(57)【特許請求の範囲】
【請求項１】
顧客の身体的特徴を量子化して身体特徴情報を生成する身体特徴情報生成手段と、暗号化情報作成手段と、携帯端末と、顧客認証装置とを備えてなる顧客認証システムであって、
前記暗号化情報作成手段は、前記身体特徴情報生成手段から前記身体特徴情報を入力し、入力した該身体特徴情報に対して、予め設定された規格のスクランブルを施すことで、暗号化して暗号化情報を作成し、
前記携帯端末は、前記暗号化情報を記憶保持すると共に、該暗号化情報を前記スクランブルが施された画像として画面に表示し、
前記顧客認証装置は、
前記携帯端末から通信回線を介して前記暗号化情報を受信し、受信した該暗号化情報を復号化し、第１の復号化情報を生成する第１の復号化手段と、
前記携帯端末の画面に前記スクランブルが施された画像として表示された前記暗号化情報を前記画面から読み取って復号化し、第２の復号化情報を生成する第２の復号化手段とを有し、
前記第１の復号化情報と前記第２の復号化情報とを照合し、照合結果が一致したときに前記顧客を認証する構成とされていることを特徴とする顧客認証システム。
【請求項２】
顧客の身体的特徴を量子化して身体特徴情報を生成する身体特徴情報生成手段と、携帯端末と、顧客認証装置とを備えてなる顧客認証システムであって、
前記携帯端末は、
前記身体特徴情報生成手段から前記身体特徴情報を入力し、入力した該身体特徴情報に対して、予め設定された規格のスクランブルを施すことで、暗号化して暗号化情報を作成する暗号化情報作成手段と、
前記暗号化情報を記憶する第１の記憶手段と、
前記暗号化情報を前記スクランブルが施された画像として画面に表示する表示手段とを有して構成され、
前記顧客認証装置は、
前記携帯端末から通信回線を介して前記暗号化情報を受信して記憶する第２の記憶手段と、
前記携帯端末の前記表示手段の画面に前記スクランブルが施された画像として表示された前記暗号化情報を前記画面から読み取って読み取り情報を生成する読み取り手段と、
前記第２の記憶手段に記憶されている前記暗号化情報を復号化して第１の復号化情報を生成すると共に、前記読み取り情報を復号化して第２の復号化情報を生成する復号化手段と、
前記第１の復号化情報と前記第２の復号化情報とを照合し、照合結果が一致したときに前記顧客を認証する照合手段とを有して構成されていることを特徴とする顧客認証システム。
【請求項３】
前記暗号化情報作成手段に加えて、前記顧客の身体的特徴を量子化して第２の身体特徴情報を生成する第２の身体特徴情報生成手段も備え、
前記顧客認証装置は、
前記第１の復号化情報に代えて、
前記第２の身体特徴情報と前記第１の復号化情報とを照合し、照合結果が一致したときに前記顧客を認証する構成とされていることを特徴とする請求項１記載の顧客認証システム。
【請求項４】
前記暗号化情報作成手段に加えて、前記顧客の身体的特徴を量子化して第２の身体特徴情報を生成する第２の身体特徴情報生成手段も備え、
前記顧客認証装置の前記照合手段は、
前記第１の復号化情報に代えて、
前記第２の身体特徴情報と前記第１の復号化情報とを照合し、照合結果が一致したときに前記顧客を認証することを特徴とする請求項２記載の顧客認証システム。
【請求項５】
前記顧客の身体的特徴は、
前記顧客の任意の指の指紋紋様、網膜パターン、又は虹彩であることを特徴とする請求項１、２、３又は４記載の顧客認証システム。
【請求項６】
身体特徴情報生成手段と、暗号化情報作成手段と、携帯端末と、顧客認証装置とを備えてなる顧客認証システムにおいて、
前記身体特徴情報生成手段が、顧客の身体的特徴を量子化して、身体特徴情報を生成し、
前記暗号化情報作成手段が、前記身体特徴情報生成手段から前記身体特徴情報を入力し、入力した該身体特徴情報に対して、予め設定された規格のスクランブルを施すことで、暗号化して暗号化情報を作成し、
前記携帯端末が、前記暗号化情報を前記スクランブルが施された画像として画面に表示し、
前記顧客認証装置が、前記携帯端末から通信回線を介して前記暗号化情報を受信し、受信した該暗号化情報を復号化して第１の復号化情報を生成し、
前記携帯端末の画面に前記スクランブルが施された画像として表示された前記暗号化情報の画像を読み取って読み取り情報を生成し、前記読み取り情報を復号化して第２の復号化情報を生成してから、前記第１の復号化情報と前記第２の復号化情報とを照合し、照合結果が一致したときに前記顧客を認証することを特徴とする顧客認証方法。
【請求項７】
身体特徴情報生成手段と、携帯端末と、顧客認証装置とを備えてなる顧客認証システムにおいて、
前記身体特徴情報生成手段が、顧客の身体的特徴を入力して量子化し、身体特徴情報を生成する身体特徴情報生成処理と、
前記携帯端末が、前記身体特徴情報生成手段から前記身体特徴情報を入力し、入力した該身体特徴情報に対して、予め設定された規格のスクランブルを施すことで、暗号化して暗号化情報を作成する暗号化情報作成処理と、
前記携帯端末が前記暗号化情報を記憶する第１の記憶処理と、
前記携帯端末が、前記暗号化情報を前記スクランブルが施された画像として画面に表示する表示処理と、
前記顧客認証装置が、前記携帯端末から通信回線を介して前記暗号化情報を受信して記憶する第２の記憶処理と、
前記顧客認証装置が、前記携帯端末の表示手段の前記画面に前記スクランブルが施された画像として表示された前記暗号化情報を前記画面から読み取って読み取り情報を生成する読み取り処理と、
前記第２の記憶処理で記憶された前記暗号化情報を復号化して第１の復号化情報を生成すると共に、前記顧客認証装置が前記読み取り情報を復号化して第２の復号化情報を生成する復号化処理と、
前記顧客認証装置が前記第１の復号化情報と前記第２の復号化情報とを照合し、照合結果が一致したときに前記顧客を認証する照合処理とを行うことを特徴とする顧客認証方法。
【請求項８】
前記暗号化情報作成手段に加えて、前記顧客の身体的特徴を量子化して第２の身体特徴情報を生成する第２の身体特徴情報生成手段も備えてなる前記顧客認証システムにおいて、
前記顧客認証装置は、
前記第１の復号化情報に代えて、
前記第２の身体特徴情報と前記第１の復号化情報とを照合し、照合結果が一致したときに前記顧客を認証することを特徴とする請求項６記載の顧客認証方法。
【請求項９】
前記暗号化情報作成手段に加えて、前記顧客の身体的特徴を量子化して第２の身体特徴情報を生成する第２の身体特徴情報生成手段も備えてなる前記顧客認証システムにおいて、
前記顧客認証装置は、
前記第１の復号化情報に代えて、
前記第２の身体特徴情報と前記第１の復号化情報とを照合し、照合結果が一致したときに前記顧客を認証する照合処理とを行うことを特徴とする請求項７記載の顧客認証方法。
【請求項１０】
前記顧客の身体的特徴は、
前記顧客の任意の指の指紋紋様、網膜パターン、又は虹彩であることを特徴とする請求項６、７、８又９記載の顧客認証方法。
【請求項１１】
コンピュータに請求項６、７、８、９又は１０記載の顧客認証方法を実施させるための制御プログラム。
【発明の詳細な説明】
【０００１】
【発明の属する技術分野】
この発明は、顧客認証システム、顧客認証方法、及び該方法を実施するための制御プログラムに係り、例えば、顧客が携帯端末を用いてチケットを予約した後、予約センターでチケットの引き渡し時に同顧客を認証する場合などに用いて好適な顧客認証システム、顧客認証方法、及び該方法を実施するための制御プログラムに関する。
【０００２】
【従来の技術】
携帯電話機などの携帯端末を介して顧客に例えばチケットなどの予約受付サービスを提供している会社では、チケットを引き渡すとき、同顧客のクレジットカードの番号などを頼りに認証を行い、顧客が予約者本人であるか否かを確認している。このクレジットカードの番号による顧客認証方法では、販売担当者が端末にクレジットカードの番号を入力し、この番号が会社側のシステムに登録されている番号と一致するか否かが確認される。また、強固なセキュリティを必要とするサービスでは、パスワードを併用して顧客の認証が行われることもある。
【０００３】
【発明が解決しようとする課題】
しかしながら、上記従来の顧客認証方法では、次のような問題点があった。
すなわち、クレジットカードの番号を用いる認証では、同クレジットカードが偽造されたものや盗難にあったものである場合があり、顧客が予約者本人であることを示す信憑性に限界がある。また、パスワードによる認証は、指紋、筆跡、声紋など、顧客本人の身体的特徴に基づく認証とは異なり、顧客本人がパスワードを入力するという操作を伴うものであり、同顧客個人の記憶に基づいて行われる。このため、通常、パスワードの文字数は少なく設定されているので、同パスワードが他人に解読されて盗用されることも多く、また、他人が複数のパスワードを使用し、これが顧客のパスワードと偶然一致することがあるという問題があった。従って、顧客の認証に誤りが発生することがあり、高いセキュリティが得られないという問題があった。
【０００４】
この発明は、上述の事情に鑑みてなされたもので、セキュリティの高い顧客認証システム、顧客認証方法、及び該顧客認証方法に用いられる制御プログラムを提供することを目的としている。
【０００５】
【課題を解決するための手段】
上記課題を解決するために、請求項１記載の発明は、顧客の身体的特徴を量子化して身体特徴情報を生成する身体特徴情報生成手段と、暗号化情報作成手段と、携帯端末と、顧客認証装置とを備えてなる顧客認証システムに係り、前記暗号化情報作成手段が、前記身体特徴情報生成手段から前記身体特徴情報を入力し、入力した該身体特徴情報に対して、予め設定された規格のスクランブルを施すことで、暗号化して暗号化情報を作成し、前記携帯端末が、前記暗号化情報を記憶保持すると共に、該暗号化情報を前記スクランブルが施された画像として画面に表示し、前記顧客認証装置が、前記携帯端末から通信回線を介して前記暗号化情報を受信し、受信した該暗号化情報を復号化し、第１の復号化情報を生成する第１の復号化手段と、前記携帯端末の画面に前記スクランブルが施された画像として表示された前記暗号化情報を前記画面から読み取って復号化し、第２の復号化情報を生成する第２の復号化手段とを有し、前記第１の復号化情報と前記第２の復号化情報とを照合し、照合結果が一致したときに前記顧客を認証する構成とされていることを特徴としている。
【０００６】
請求項２記載の発明は、顧客の身体的特徴を量子化して身体特徴情報を生成する身体特徴情報生成手段と、携帯端末と、顧客認証装置とを備えてなる顧客認証システムに係り、前記携帯端末が、前記身体特徴情報生成手段から前記身体特徴情報を入力し、入力した該身体特徴情報に対して、予め設定された規格のスクランブルを施すことで、暗号化して暗号化情報を作成する暗号化情報作成手段と、前記暗号化情報を記憶する第１の記憶手段と、前記暗号化情報を前記スクランブルが施された画像として画面に表示する表示手段とを有して構成され、前記顧客認証装置が、前記携帯端末から通信回線を介して前記暗号化情報を受信して記憶する第２の記憶手段と、前記携帯端末の前記表示手段の画面に前記スクランブルが施された画像として表示された前記暗号化情報を前記画面から読み取って読み取り情報を生成する読み取り手段と、前記第２の記憶手段に記憶されている前記暗号化情報を復号化して第１の復号化情報を生成すると共に、前記読み取り情報を復号化して第２の復号化情報を生成する復号化手段と、前記第１の復号化情報と前記第２の復号化情報とを照合し、照合結果が一致したときに前記顧客を認証する照合手段とを有して構成されていることを特徴としている。
【０００７】
請求項３記載の発明は、請求項１記載の顧客認証システムに係り、前記暗号化情報作成手段に加えて、前記顧客の身体的特徴を量子化して第２の身体特徴情報を生成する第２の身体特徴情報生成手段も備え、前記顧客認証装置が、前記第１の復号化情報に代えて、前記第２の身体特徴情報と前記第１の復号化情報とを照合し、照合結果が一致したときに前記顧客を認証する構成とされていることを特徴としている。
【０００８】
請求項４記載の発明は、請求項２記載の顧客認証システムに係り、前記暗号化情報作成手段に加えて、前記顧客の身体的特徴を量子化して第２の身体特徴情報を生成する第２の身体特徴情報生成手段も備え、前記顧客認証装置の前記照合手段が、前記第１の復号化情報に代えて、前記第２の身体特徴情報と前記第１の復号化情報とを照合し、照合結果が一致したときに前記顧客を認証することを特徴としている。
【０００９】
請求項５記載の発明は、請求項１、２、３又は４記載の顧客認証システムに係り、前記顧客の身体的特徴が、前記顧客の任意の指の指紋紋様、網膜パターン、又は虹彩であることを特徴としている。
【００１０】
請求項６記載の発明は、顧客認証方法に係り、身体特徴情報生成手段と、暗号化情報作成手段と、携帯端末と、顧客認証装置とを備えてなる顧客認証システムにおいて、前記身体特徴情報生成手段が、顧客の身体的特徴を量子化して、身体特徴情報を生成し、前記暗号化情報作成手段が、前記身体特徴情報生成手段から前記身体特徴情報を入力し、入力した該身体特徴情報に対して、予め設定された規格のスクランブルを施すことで、暗号化して暗号化情報を作成し、前記携帯端末が、前記暗号化情報を前記スクランブルが施された画像として画面に表示し、前記顧客認証装置が、前記携帯端末から通信回線を介して前記暗号化情報を受信し、受信した該暗号化情報を復号化して第１の復号化情報を生成し、前記携帯端末の画面に前記スクランブルが施された画像として表示された前記暗号化情報の画像を読み取って読み取り情報を生成し、前記読み取り情報を復号化して第２の復号化情報を生成してから、前記第１の復号化情報と前記第２の復号化情報とを照合し、照合結果が一致したときに前記顧客を認証することを特徴としている。
【００１１】
請求項７記載の発明は、顧客認証方法に係り、身体特徴情報生成手段と、携帯端末と、顧客認証装置とを備えてなる顧客認証システムにおいて、前記身体特徴情報生成手段が、顧客の身体的特徴を入力して量子化し、身体特徴情報を生成する身体特徴情報生成処理と、前記携帯端末が、前記身体特徴情報生成手段から前記身体特徴情報を入力し、入力した該身体特徴情報に対して、予め設定された規格のスクランブルを施すことで、暗号化して暗号化情報を作成する暗号化情報作成処理と、前記携帯端末が前記暗号化情報を記憶する第１の記憶処理と、前記携帯端末が、前記暗号化情報を前記スクランブルが施された画像として画面に表示する表示処理と、前記顧客認証装置が、前記携帯端末から通信回線を介して前記暗号化情報を受信して記憶する第２の記憶処理と、前記顧客認証装置が、前記携帯端末の表示手段の前記画面に前記スクランブルが施された画像として表示された前記暗号化情報を前記画面から読み取って読み取り情報を生成する読み取り処理と、前記第２の記憶処理で記憶された前記暗号化情報を復号化して第１の復号化情報を生成すると共に、前記顧客認証装置が前記読み取り情報を復号化して第２の復号化情報を生成する復号化処理と、前記顧客認証装置が前記第１の復号化情報と前記第２の復号化情報とを照合し、照合結果が一致したときに前記顧客を認証する照合処理とを行うことを特徴としている。
【００１２】
請求項８記載の発明は、請求項６記載の顧客認証方法に係り、前記暗号化情報作成手段に加えて、前記顧客の身体的特徴を量子化して第２の身体特徴情報を生成する第２の身体特徴情報生成手段も備えてなる前記顧客認証システムにおいて、前記顧客認証装置は、前記第１の復号化情報に代えて、前記第２の身体特徴情報と前記第１の復号化情報とを照合し、照合結果が一致したときに前記顧客を認証することを特徴としている。
【００１３】
請求項９記載の発明は、請求項７記載の顧客認証方法に係り、前記暗号化情報作成手段に加えて、前記顧客の身体的特徴を量子化して第２の身体特徴情報を生成する第２の身体特徴情報生成手段も備えてなる前記顧客認証システムにおいて、前記顧客認証装置は、前記第１の復号化情報に代えて、前記第２の身体特徴情報と前記第１の復号化情報とを照合し、照合結果が一致したときに前記顧客を認証する照合処理とを行うことを特徴としている。
【００１４】
請求項１０記載の発明は、請求項６、７、８又９記載の顧客認証方法に係り、前記顧客の身体的特徴が、前記顧客の任意の指の指紋紋様、網膜パターン、又は虹彩であることを特徴としている。
【００１５】
請求項１１記載の発明は、制御プログラムに係り、コンピュータに請求項６、７、８、９又は１０記載の顧客認証方法を実施させることを特徴としている。
【００１６】
【発明の実施の形態】
以下、図面を参照して、この発明の実施の形態について説明する。
第１の実施形態
図１は、この発明の第１の実施形態である顧客認証システムの構成図である。
この形態の顧客認証システムは、同図に示すように、指紋入力装置（即ち、身体特徴情報生成手段）１０と、携帯電話機（即ち、携帯端末）２０と、基地局３１と、インターネット（即ち、通信回線）ＮＷと、顧客認証装置４０とで構成されている。指紋入力装置１０は、顧客の身体的特徴（例えば、指紋紋様）を入力して量子化し、身体特徴情報（例えば、指紋紋様データ）Ａを生成する。携帯電話機２０は、入力装置２１と、制御部（即ち、暗号化情報作成手段）２２と、記憶部（即ち、第１の記憶手段）２３と、表示部（即ち、表示手段）２４と、無線部２５とで構成されている。
【００１７】
入力装置２１は、複数のキースイッチなどで構成され、顧客の操作に基づいて顧客番号や予約の内容を表す予約情報Ｂを入力する。制御部２２は、指紋紋様データＡを入力して暗号化し、予約情報Ｂを埋め込んで暗号化情報Ｃを作成する。この場合、指紋紋様データＡに対し、例えば予め設定された規格のスクランブルが施されて暗号化される。記憶部２３は、例えば、ＲＡＭ（Randam Access Memory）などで構成され、暗号化情報Ｃを記憶する。表示部２４は、例えば、ＬＣＤ（Liquid Crystal Display）などで構成され、暗号化情報Ｃを画面に表示する。無線部２５は、暗号化情報Ｃを基地局３１に向けて送出する。
【００１８】
顧客認証装置４０は、例えば、チケットの予約センターなどに設けられる情報処理装置であり、受付端末４１と、同受付端末４１中に含まれる読み取り装置（即ち、読み取り手段）４２及び表示部４３と、ホスト端末４４と、同ホスト端末４４中に含まれる記憶部（即ち、第２の記憶手段）４５、復号化部（即ち、第１及び第２の復号化手段）４６及び制御部（即ち、照合手段）４７とで構成されている。読み取り装置４２は、例えばイメージセンサなどで構成され、携帯電話機２０の表示部２４に表示された暗号化情報Ｃの画像を読み取って読み取り情報Ｄを生成する。表示部４３は、顧客に対して操作の誘導するための情報を表示する。記憶部４５は、例えば、ＲＡＭなどで構成され、基地局３１及びインターネットＮＷを介して暗号化情報Ｃを受信して記憶すると共に、制御部４７を動作させるための制御プログラムが記録されている。復号化部４６は、記憶部４５に記憶されている暗号化情報Ｃを復号化して第１の復号化情報を生成すると共に、読み取り情報Ｄを復号化して第２の復号化情報を生成する。この復号化は、暗号化の規格に対応した規格で行われるようになっている。制御部４７は、顧客認証装置４０全体を制御すると共に、第１の復号化情報と第２の復号化情報とを照合し、照合結果が一致したときに顧客を認証する。
【００１９】
図２は、図１の顧客認証システムの動作を説明するためのフローチャートである。
この図２を参照して、この形態の顧客認証方法の処理内容について説明する。
顧客の操作に基づいて入力装置２１から顧客番号や予約の内容を表す予約情報Ｂが入力される（ステップＡ１）。顧客の指紋紋様が指紋入力装置１０に入力されて量子化され、指紋紋様データＡが生成される（ステップＡ２、身体特徴情報生成処理）。指紋紋様データＡは制御部２２に入力されて暗号化され、同制御部２２で暗号化情報Ｃが作成される。暗号化情報Ｃは、無線部２５及び基地局３１を経てインターネットＮＷへ送出される（ステップＡ３、ステップＡ４、暗号化情報作成処理）。また、暗号化情報Ｃは、記憶部２３に記憶される（第１の記憶処理）と共に、表示部２４の画面に表示される（ステップＡ５、表示処理）。一方、暗号化情報Ｃは、インターネットＮＷを介して顧客認証装置４０に受信されて記憶部４５に記憶される（ステップＡ６、第２の記憶処理）。
【００２０】
顧客が予約センターに出向いて携帯電話機２０を提示すると、同携帯電話機２０の表示部２４に表示された暗号化情報Ｃの画像が読み取り装置４２で読み取られて読み取り情報Ｄが生成され（ステップＡ７、読み取り処理）、ホスト端末４４の復号化部４６へ転送される（ステップＡ８）。復号化部４６では、記憶部４５で記憶された暗号化情報Ｃが同規格で復号化されて第１の復号化情報が生成されると共に、読み取り情報Ｄが暗号化の規格に対応した規格で復号化されて第２の復号化情報が生成される（ステップＡ９、復号化処理）。制御部４７では、第１の復号化情報を記憶パタン、及び第２の復号化情報を入力パタンとし、同記憶パタンと入力パタンとが照合され、照合結果が一致したときに顧客が認証され、同顧客に対してチケットが発券される（ステップＡ１０、照合処理）。照合結果が一致しないときは、発券を拒否する旨が通知される。
【００２１】
以上のように、この第１の実施形態では、顧客の指紋紋様データＡを暗号化した暗号化情報Ｃを用いて顧客を認証するようにしたので、顧客を特定することができると共に、他人が顧客本人になりすますことが防止され、セキュリティの高い顧客認証システムを構築することができる。
【００２２】
第２の実施形態
図３は、この発明の第２の実施形態である顧客認証システムの構成図であり、第１の実施形態を示す図１中の要素と共通の要素には共通の符号が付されている。
この顧客認証システムでは、図１中の顧客認証装置４０に代えて、異なる機能を有する顧客認証装置４０Ａが設けられると共に、指紋入力装置（即ち、第２の身体特徴情報生成手段）５０が設けられている。顧客認証装置４０Ａでは、図１中のホスト端末４４に代えて、異なる機能をもつホスト端末４４Ａが設けられている。ホスト端末４４Ａでは、図１中の復号化部４６及び制御部４７に代えて、異なる機能をもつ復号化部４６Ａ及び制御部４７Ａが設けられている。指紋入力装置５０は、顧客の身体的特徴（例えば、指紋紋様）を入力して量子化し、身体特徴情報（例えば、指紋紋様データ）Ｅを生成する。復号化部４６Ａは、記憶部４５に記憶されている暗号化情報Ｃを復号化して復号化情報を生成する。制御部４７Ａは、指紋紋様データＥと前記復号化情報とを照合し、照合結果が一致したときに顧客を認証する。他は、図１と同様の構成である。
【００２３】
図４は、図３の顧客認証システムの動作を説明するためのフローチャートである。
この図４を参照して、この形態の顧客認証方法の処理内容について説明する。
顧客の操作に基づいて入力装置２１から顧客番号や予約の内容を表す予約情報Ｂが入力される（ステップＢ１）。顧客の指紋紋様が指紋入力装置１０に入力されて量子化され、指紋紋様データＡが生成される（ステップＢ２、第１の身体特徴情報生成処理）。指紋紋様データＡは制御部２２に入力されて暗号化され、同制御部２２で暗号化情報Ｃが作成される。暗号化情報Ｃは、無線部２５及び基地局３１を経てインターネットＮＷへ送出される（ステップＢ３、ステップＢ４、暗号化情報作成処理）。一方、暗号化情報Ｃは、インターネットＮＷを介して顧客認証装置４０Ａに受信されて記憶部４５に記憶される（ステップＢ５、記憶処理）。
【００２４】
顧客が予約センターに出向いたとき、指紋入力装置５０は、顧客の指紋紋様を入力して量子化し、指紋紋様データＥが生成され（ステップＢ６、第２の身体特徴情報生成処理）、ホスト端末４４Ａの復号化部４６Ａへ転送される（ステップＢ７）。復号化部４６Ａでは、記憶部４５に記憶された暗号化情報Ｃが復号化されて復号化情報が生成される（ステップＢ８、復号化処理）。制御部４７Ａでは、指紋紋様データＥを入力パタン、及び復号化情報を記憶パタンとし、同入力パタンと記憶パタンとが照合され、照合結果が一致したときに顧客が認証され、同顧客に対してチケットが発券される（ステップＢ９、照合処理）。照合結果が一致しないときは、発券を拒否する旨が通知される。
【００２５】
以上のように、この第２の実施形態では、顧客認証装置４０Ａに指紋入力装置５０が接続されているので、顧客は予約センターで携帯電話機２０を提示する必要がなく、指紋入力装置５０から指紋紋様を入力するのみで認証が受けられる。このため、第１の実施形態の利点に加え、より操作が簡単でセキュリティの高い顧客認証システムを構築することができる。
【００２６】
以上、この発明の実施形態を図面により詳述してきたが、具体的な構成はこの実施形態に限られるものではなく、この発明の要旨を逸脱しない範囲の設計の変更などがあってもこの発明に含まれる。
例えば、携帯電話機２０は、同様の機能を有する例えば携帯情報端末（Personal Digital Assistants 、ＰＤＡ）などでも良い。また、顧客の身体的特徴は、顧客の任意の指の指紋紋様の他、例えば、声紋、網膜パターン、虹彩、筆跡を表す情報などでも良い。また、第１の実施形態では、指紋紋様データＡの暗号化を他のパーソナルコンピュータなどを用いて行い、制御部２２に入力しても良い。また、第２の実施形態では、携帯電話機２０は、顧客の自宅などに設置されているパーソナルコンピュータなどで代用しても良い。また、顧客認証装置４０，４０Ａは、チケットの予約センターなどに設けられるものに限らず、顧客の認証を必要とするシステム全般に適用できる。
【００２７】
【発明の効果】
以上説明したように、この発明の構成によれば、顧客の身体特徴情報を暗号化した暗号化情報を用いて顧客を認証するようにしたので、顧客を特定することができると共に、他人が顧客本人になりすますことが防止され、セキュリティの高い顧客認証システムを構築できる。さらに、顧客認証装置に第２の身体特徴情報生成手段が設けられているので、顧客は携帯端末を提示する必要がなく、身体特徴情報を入力するのみで認証が受けられる。このため、より操作が簡単でセキュリティの高い顧客認証システムを構築できる。
【図面の簡単な説明】
【図１】この発明の第１の実施形態である顧客認証システムの構成図である。
【図２】図１の動作を説明するためのフローチャートである。
【図３】この発明の第２の実施形態である顧客認証システムの構成図である。
【図４】図３の動作を説明するためのフローチャートである。
【符号の説明】
１０，５０      指紋入力装置（身体特徴情報生成手段）
２０      携帯電話機（携帯端末）
２２      制御部（暗号化情報作成手段）
２３，４５      記憶部（記憶手段）
２４      表示部（表示手段）
４０，４０Ａ      顧客認証装置
４２      読み取り装置（読み取り手段）
４６，４６Ａ      復号化部（復号化手段）
４７，４７Ａ      制御部（照合手段）
ＮＷ      インターネット（通信回線）
【図１】
0004665352.tif 000002
【図２】
0004665352.tif 000003
【図３】
0004665352.tif 000004
【図４】
0004665352.tif 000005